(57)【要約】家具アセンブリ（１，１０１）を提供する。家具アセンブリ（１，１０１）は、上部モジュール（３，１０３）と、下部モジュール（５，１０５）と、壁部（７，１０７）とを備える。家具アセンブリ（１，１０１）が取り付け位置で部屋に取り付けられたときに、前記上部モジュール（３，１０３）が前記下部モジュール（５，１０５）の上方に設置され、前記壁部（７，１０７）が前記上部モジュールと前記下部モジュールとの間に設置されるように適合される。前記壁部（７，１０７）は、前記上部モジュール（３，１０３）と前記下部モジュール（５，１０５）とのうちのいずれか一方に予め取り付けられる。
2021528141.tif 000002
【特許請求の範囲】
【請求項１】
家具アセンブリ（１，１０１）であって、
上部モジュール（３，１０３）と、
下部モジュール（５，１０５）と、
壁部（７，１０７）であって、前記家具アセンブリ（１，１０１）が取り付け位置で部屋に取り付けられたときに、前記上部モジュール（３，１０３）が前記下部モジュール（５，１０５）の上方に設置され、前記壁部（７，１０７）が前記上部モジュールと前記下部モジュールとの間に設置されるように適合される、前記壁部（７，１０７）と、
を備え、
前記壁部（７，１０７）は、前記上部モジュール（３，１０３）と前記下部モジュール（５，１０５）とのうちのいずれか一方に予め取り付けられている、
家具アセンブリ。
【請求項２】
前記家具アセンブリ（１，１０１）は、配送位置及び取り付け位置で設置することができ、前記配送位置における前記上部モジュール（３，１０３）と前記下部モジュール（５，１０５）との間の距離は、前記取り付け位置における前記上部モジュール（３，１０３）と前記下部モジュール（５，１０５）との間の距離よりも小さく、
前記配送位置における前記予め取り付けられた壁部（７，１０７）は突出して、前記上部モジュールと前記下部モジュールとのうち、前記壁部（７，１０７）が予め取り付けられていない他方の背面側（１５，１１３）の一部と重なる、
請求項１に記載の家具アセンブリ。
【請求項３】
前記家具アセンブリ（１，１０１）が取り付け位置にあるとき、前記壁部（７，１０７）は、前記上部モジュール（３，１０３）の背面側（１３，１１３）の下側（１３ａ）と前記下部モジュール（５，１０５）の背面側（１５，１１５）の上側（１５ａ）との間に到達する、
請求項１又は２に記載の家具アセンブリ。
【請求項４】
前記壁部（７，１０７）は、前記上部モジュールと前記下部モジュールとのうちのいずれか一方（３，１０５）に予め取り付けられ、前記上部モジュールと前記下部モジュールとのうちの他方（５，１０３）には予め取り付けられておらず、
前記壁部（７，１０７）を、前記上部モジュールと前記下部モジュールとのうち、予め取り付けられていない前記他方に対して摺動させることによって、配送位置から取り付け位置にすることができ、
前記配送位置において、前記上部モジュール（３，１０３）と前記下部モジュール（５，１０５）とは互いに近接に設置され、前記壁部（７，１０７）は、前記上部モジュールと前記下部モジュールとのうち、予め取り付けられていない前記他方の背面側（１５，１１３）の一部を覆っており、
前記取り付け位置において、前記壁部（７，１０７）は、前記上部モジュール（３，１０３）の背面側（１３，１１３）と前記下部モジュール（５，１０５）の背面側（１５，１１５）とを接続している、
請求項１から３のいずれか１項に記載の家具アセンブリ。
【請求項５】
前記壁部（７，１０７）は、拭き取り可能な表面を有し、前記上部モジュール（３）又は前記下部モジュール（５）の背面側（１３，１１５）に取り付けられた板（１９，１１９）の突出部分（２１，１２１）に設けられ、
前記板（１９，１１９）は、前記板（１９，１１９）の突出部分（２１，１２１）が前記上部モジュール（３）又は前記下部モジュール（１０５）の背面側（１３，１１５）から突出するように取り付けられ、
前記板の前記突出部分は、前記壁部と実質的に同じサイズである、
請求項１から４のいずれか１項に記載の家具アセンブリ。
【請求項６】
前記壁部（７，１０７）は、タイル、ガラス、プラスチック、石、又は金属製のスプラッシュボードである、請求項１から５のいずれか１項に記載の家具アセンブリ。
【請求項７】
前記家具アセンブリ（１，１０１）は、キッチン、ランドリールーム、バスルーム用の家具アセンブリである、請求項１から６のいずれか１項に記載の家具アセンブリ。
【請求項８】
上部モジュール（３，１０３）は、取り付け位置で部屋の壁に取り付けられるように構成され、
前記壁部（７，１０７）は、前記上部モジュール（３，１０３）と同じ向きで、前記上部モジュール（３，１０３）が取り付けられるのと同じ部屋の壁に隣接して設置されるように適合されている、
請求項１から７のいずれか１項に記載の家具アセンブリ。
【請求項９】
前記下部モジュール（１０５）は、前記取り付け位置で、部屋の床に立つ、及び／又は、部屋の壁に取り付けられるように構成されている、請求項１から８のいずれか１項に記載の家具アセンブリ。
【請求項１０】
前記上部モジュール（３，１０３）は、食器棚、キャビネット、棚、オーブン、電子レンジ、ファンのうちの１つ以上を含み、
前記下部モジュール（５，１０５）は、調理台、食器棚、キャビネット、引き出し、ストーブ、レンジ、シンク、食器洗い機、洗濯機、回転式乾燥機のうちの１つ以上を含む、
請求項１から９のいずれか１項に記載の家具アセンブリ。
【請求項１１】
前記壁部（７）は前記上部モジュール（３）に予め取り付けられている、請求項１から１０のいずれか１項に記載の家具アセンブリ。
【請求項１２】
前記壁部（１０７）は前記下部モジュール（１０５）に予め取り付けられている、請求項１から１１のいずれか１項に記載の家具アセンブリ。
【請求項１３】
上部モジュール及び下部モジュールを備える家具アセンブリ（１，１０１）の上部モジュール（３）又は下部モジュール（１０５）であって、
前記上部モジュール又は前記下部モジュールは、前記上部モジュール（３）又は下部モジュール（１０５）の背面側（１３，１１５）から突出するように予め取り付けられた壁部（７，１０７）を備え、
前記上部モジュール（３，１０３）は、前記下部モジュール（５，１０５）の上方に設置されて、前記家具アセンブリ（１，１０１）が取り付け位置で部屋に取り付けられたとき、前記壁部（７，１０７）は、前記上部モジュールと前記下部モジュールとの間に設置されるように適合されている、
上部モジュール又は下部モジュール。
【請求項１４】
前記壁部（７，１０７）は、前記家具アセンブリ（１，１０１）が取り付け位置にあるとき、前記上部モジュール（３，１０３）の背面側（１３，１１３）と前記下部モジュール（５，１０５）の背面側（１５，１１５）とを接続している、
請求項１３に記載の上部モジュール又は下部モジュール。
【請求項１５】
前記壁部（７，１０７）は、拭き取り可能な表面を有し、前記上部モジュール（３）又は前記下部モジュール（５）の背面側（１３，１１５）に取り付けられた板（１９，１１９）の突出部分（２１，１２１）に設けられ、
前記板（１９，１１９）は、前記板（１９，１１９）の突出部分（２１，１２１）が前記上部モジュール（３）又は前記下部モジュール（１０５）の背面側（１３，１１５）から突出するように取り付けられ、
前記板の前記突出部分（２１，１２１）は、前記壁部（７，１０７）と実質的に同じサイズである、
請求項１３又は１４に記載の上部モジュール又は下部モジュール。
【請求項１６】
前記壁部（７，１０７）は、タイル、ガラス、プラスチック、石、又は金属製のスプラッシュボードである、請求項１３から１５のいずれか１項に記載の上部モジュール又は下部モジュール。
【請求項１７】
前記家具アセンブリ（１，１０１）は、キッチン、ランドリールーム、バスルーム用の家具アセンブリである、請求項１３から１６のいずれか１項に記載の上部モジュール又は下部モジュール。
【請求項１８】
前記上部モジュール（３，１０３）は、取り付け位置で部屋の壁に取り付けられるように構成され、
前記下部モジュール（５，１０５）は、床に立つように、及び／又は、部屋の壁に取り付けられるように構成され、
前記壁部（７，１０７）は、前記上部モジュール（３，１０３）と同じ向きで、前記上部モジュール（３，１０３）が取り付けられるのと同じ部屋の壁に隣接して設置されるように構成されている、
請求項１３から１７のいずれか１項に記載の上部モジュール又は下部モジュール。
【請求項１９】
前記上部モジュール（３，１０３）は、食器棚、キャビネット、棚、オーブン、電子レンジ、ファンのうちの１つ以上を含み、
前記下部モジュール（５，１０５）は、調理台、食器棚、キャビネット、引き出し、ストーブ、レンジ、シンク、食器洗い機、洗濯機、回転式乾燥機のうちの１つ以上を含む、
請求項１３から１８のいずれか１項に記載の家具アセンブリ。
【請求項２０】
請求項１から１２のいずれか一項に記載の家具アセンブリ（１，１０１）を配送し、部屋に取り付けるための方法であって、
前記家具アセンブリ（１，１０１）を配送位置で設置するステップＳ１であって、前記配送位置における前記上部モジュール（３，１０３）と前記下部モジュール（５，１０５）との間の距離は、取り付け位置における前記上部モジュール（３，１０３）と前記下部モジュール（５，１０５）との間の距離よりも小さく、前記配送位置における前記予め取り付けられた壁部（７，１０７）は突出して、前記上部モジュール（１０３）と前記下部モジュール（５）とのうち、前記壁部（７，１０７）が予め取り付けられていない他方の背面側（１５，１１３）の一部と重なる、前記家具アセンブリ（１，１０１）を配送位置で設置するステップＳ１と、
前記家具アセンブリ（１，１０１）を、前記配送位置で、部屋内の取り付けるべき場所に移送するステップＳ２と、
前記壁部（７，１０７）が、前記上部モジュール（３，１０３）の背面側（１３，１１３）と前記下部モジュール（５，１０５）の背面側（１５，１１５）とを接続するように、前記下部モジュール（５，１０５）に対して前記上部モジュール（３，１０３）を持ち上げて前記家具アセンブリ（１，１０１）を取り付け位置で設置するステップＳ３と、
を含む、
方法。
【請求項２１】
前記上部モジュール（３，１０３）を取り付けられるべき部屋の壁に取り付けるステップＳ４を更に含む、請求項２０に記載の方法。
【発明の詳細な説明】
【技術分野】
【０００１】
本発明は、家具アセンブリ、家具アセンブリの上部又は下部モジュール、並びに家具アセンブリを配送し、部屋内に取り付ける方法に関する。
【背景技術】
【０００２】
家具システムを、例えば、キッチンに取り付けるとき、多くの場合は、上部モジュールをキッチンの壁に取り付け、下部モジュールを上部モジュールの下の床に立てて設置することができる。上部モジュールは通常、例えば、キャビネット、棚、ファンを含み、下部モジュールは通常、調理台、キャビネット、引き出し、ストーブ、食器洗い機等を含む。上部モジュール及び下部モジュールを取り付けた後、モジュールの間の壁には、例えば、タイル、ガラス、金属、又は他の簡単に拭き取ることができる材料が適用される。
【発明の概要】
【発明が解決しようとする課題】
【０００３】
本発明の目的は、便利な方法で配送されて部屋内に取り付けることができる家具アセンブリを提供することである。
【０００４】
本発明の更なる目的は、家具アセンブリを配送し、部屋内に取り付けるための改善された方法を提供することである。
【課題を解決するための手段】
【０００５】
これは、家具アセンブリ、家具アセンブリの上部又は下部モジュール、及び独立請求項による家具アセンブリを配送し、部屋内に取り付けるための方法によって達成される。
【０００６】
本発明の一態様によれば、
上部モジュールと、
下部モジュールと、
家具アセンブリが取り付け位置で部屋内に取り付けられ、上部モジュールが下部モジュールの上方にあるとき、上部モジュールと下部モジュールとの間に設置されるように適合された壁部と、
を備え、
前記壁部は、上部モジュールと下部モジュールとのうちのいずれか一方に予め取り付けられている、
家具アセンブリが提供される。
【０００７】
本発明の別の態様によれば、家具アセンブリの上部又は下部モジュールが提供され、前記上部又は下部モジュールは、前記上部又は下部モジュールの背面側から突出するように予め取り付けられた壁部を含み、前記壁部は、家具アセンブリが取り付け位置で部屋内に取り付けられ、上部モジュールが下部モジュールの上方にあるとき、上部モジュールと下部モジュールとの間に設置されるように適合される。
【０００８】
本発明の別の態様によれば、本発明に係る家具アセンブリを配送し、部屋内に取り付けるための方法が提供される。当該方法は、
配送位置における上部モジュールと下部モジュールとの間の距離は、取り付け位置における上部モジュールと下部モジュールとの間の距離よりも小さく、配送位置において、予め取り付けられた壁部は突出して、上部モジュールと下部モジュールとのうち、当該壁部が予め取り付けられていない他方の背面側の一部と重なるように、家具アセンブリを配送位置で設置するステップと、
家具アセンブリを、配送位置で、部屋内の取り付けるべき場所に移送するステップと、
壁部が上部モジュールの背面側と下部モジュールの背面側とを接続するように、下部モジュールに対して上部モジュールを持ち上げて、家具アセンブリを取り付け位置で設置するステップと、
を含む。
【０００９】
これにより、コンパクトな配送位置で設置することができる家具アセンブリが提供される。壁部が予め取り付けられていない上部又は下部モジュールの背面側の一部から突出しているとき、上部モジュールは、下部モジュールにもたれるように配置することができる。これは、例えば、家具アセンブリを、それが取り付けられるべき部屋に搬送するとき、例えば、ドアの開口部を通過するとき、又はエレベーター内等スペースが限られているときに有利である。更に、壁部が上部モジュールと下部モジュールとのうちのいずれか一方に予め取り付けられると、家具アセンブリの取り付けが容易に且つ迅速化することができる。
【００１０】
本発明の一実施形態において、前記家具アセンブリは、配送位置及び取り付け位置で設置することができる。配送位置における上部モジュールと下部モジュールとの間の距離は、取り付け位置における上部モジュールと下部モジュールとの間の距離よりも小さく、配送位置において、予め取り付けられた壁部は突出して、上部モジュールと下部モジュールとのうち、当該壁部が予め取り付けられていない他方の背面側の一部と重なる。
【００１１】
本発明の一実施形態において、家具アセンブリが取り付け位置にあるとき、壁部は、上部モジュールの背面側の下側と下部モジュールの背面側の上側との間に到達する。
【００１２】
本発明の一実施形態において、壁部は、上部モジュールと下部モジュールとのうちのいずれか一方に予め取り付けられ、他方には取り付けられない。これによって、壁部が予め取り付けられていない上部モジュール又は下部モジュールに対して、壁部をスライドして家具アセンブリを配送位置にすることができ、当該配送位置において、上部モジュールと下部モジュールとは、互いに接近して配置され、壁部は、壁部が予め取り付けられていない上部モジュール又は下部モジュールの背面側の一部を覆っている。また、壁部が予め取り付けられていない上部モジュール又は下部モジュールに対して、壁部をスライドして家具アセンブリを取り付け位置にすることができ、当該取り付け位置において、壁部が上部モジュールの背面側と下部モジュールの背面側とを接続する状態にある。
【００１３】
本発明の一実施形態において、壁部は、拭き取り可能な表面を有し、当該拭き取り可能な表面は、上部モジュール又は下部モジュールの背面側に取り付けられた板の突出部分に設けられる。前記板は、板の突出部分が上部モジュール又は下部モジュールの背面側から突出するように取り付けられており、板の突出部分は、壁部と実質的に同じサイズを有する。
【００１４】
本発明の一実施形態において、壁部は、タイル、ガラス、プラスチック、石、又は金属製のスプラッシュボード（ｓｐｌａｓｈ  ｂｏａｒｄ）である。
【００１５】
本発明の一実施形態において、家具アセンブリは、キッチン、ランドリールーム、又はバスルーム用である。
【００１６】
本発明の一実施形態において、上部モジュールは、取り付け位置で部屋の壁に取り付けられるように構成され、壁部は、上部モジュールと同じ向きで、上部モジュールが取り付けられるのと同じ部屋の壁に隣接して設けるように配置される。
【００１７】
本発明の一実施形態において、下部モジュールは、取り付け位置で部屋の床に立つように、及び／又は部屋の壁に取り付けられるように構成される。
【００１８】
本発明の一実施形態において、上部モジュールは、食器棚、キャビネット、棚、オーブン、電子レンジ、及びファンのうちの１つ又は複数を含み、下部モジュールは、調理台、食器棚、キャビネット、引き出し、ストーブ、レンジ、シンク、食器洗い機、洗濯機、タンブル乾燥機のうちの１つ又は複数を含む。
【００１９】
本発明の一実施形態において、壁部は上部モジュールに予め取り付けられる。本発明の他の実施形態において、壁部は下部モジュールに予め取り付けられる。
【図面の簡単な説明】
【００２０】
【図１】本発明の一実施形態に係る、配送位置にある家具アセンブリを示す図である。
【図２】本発明の一実施形態に係る、配送位置にある家具アセンブリを示す図である。
【図３】本発明の一実施形態に係る、配送位置にある家具アセンブリを示す図である。
【図４】図１−３と同じ家具アセンブリであって、取り付け位置にある状態を示す図である。
【図５】図１−３と同じ家具アセンブリであって、取り付け位置にある状態を示す図である。
【図６】本発明の別の実施形態に係る、配送位置にある家具アセンブリを示す図である。
【図７】本発明の別の実施形態に係る、配送位置にある家具アセンブリを示す図である。
【図８】本発明の別の実施形態に係る、配送位置にある家具アセンブリを示す図である。
【図９】図６−８と同じ家具アセンブリであって、取り付け位置にある状態を示す図である。
【図１０】図６−８と同じ家具アセンブリであって、取り付け位置にある状態を示す図である。
【図１１】本発明の一実施形態に係る方法のフローチャートである。
【発明を実施するための形態】
【００２１】
本発明によれば、家具アセンブリ１，１０１が提供される。家具アセンブリ１，１０１は、上部モジュール３，１０３と、下部モジュール５，１０５と、壁部７，１０７とを備える。家具アセンブリ１，１０１が取り付け位置で部屋に取り付けられ、上部モジュール３，１０３が下部モジュール５，１０５の上方に設置されたとき、壁部７，１０７は、上部モジュールと下部モジュールとの間に配置される。壁部７，１０７は、上部モジュール３，１０３と下部モジュール５，１０５とのいずれか一方に予め取り付けられている。壁部７が上部モジュール３に予め取り付けられた本発明の一実施形態を図１乃至図５に示し、壁部１０７が下部モジュール１０５に予め取り付けられた本発明の別の実施形態を図６乃至図１０に示している。実施形態について、図を参照しながら以下に更に詳細に説明する。
【００２２】
家具アセンブリ1，１０１は、配送位置及び取り付け位置で設置することができ、配送位置における上部モジュール３，１０３と下部モジュール５，１０５との間の距離は、取り付け位置における上部モジュール３，１０３と下部モジュール５，１０５との間の距離よりも小さい。配送位置において、予め取り付けられた壁部７，１０７は突出して、上部モジュールと下部モジュールとのうち、当該壁部が予め取り付けられていない他方の背面側１５，１１３の一部と重なっている。このようにして、家具アセンブリは、よりコンパクトな配送位置で設置することができる。これは、家具アセンブリを、例えば、それが取り付けられるべき住宅及び部屋に配送及び搬送する際に有利である。例えば、ドアの開口部を通過するときやエレベーターの中では、スペースが限られる可能性があり、コンパクトな配送位置が有利になる。家具アセンブリ１，１０１は、キッチン、ランドリールーム、又はバスルーム用家具アセンブリにすることができる。壁部７，１０７は、例えば、タイル、ガラス、プラスチック、石、又は金属製のスプラッシュボードであってもよく、これらは、容易に拭き取ることができるため、例えば、キッチン、ランドリールーム、又はバスルームに適している。上部モジュール３，１０３は、部屋、例えば、キッチン、ランドリールーム、又はバスルームの壁に取り付けられるように構成され、下部モジュール５，１０５は、上部モジュールの下に設置され、部屋の床に立つように、及び／又は部屋の壁に取り付けられるように構成される。
【００２３】
予め取り付けられた壁部７，１０７は、板１９，１１９の突出部分２１，１２１に設けることができる。板１９，１１９は、上部モジュール３の背面側１３、又は下部モジュール１０５の背面側１１５を覆っている。前記突出部分２１，１２１は、予め取り付けられた壁部７，１０７が取り付けられていない上部モジュール又は下部モジュールのいずれか一方に向かって突出している。
【００２４】
上部モジュール３，１０３は、例えば、食器棚、キャビネット、棚、オーブン、電子レンジ、及びファンのうちの１つ又は複数を含み、下部モジュール５，１０５は、例えば、調理台、食器棚、キャビネット、引き出し、ストーブ、レンジ、シンク、食器洗い機、洗濯機、及びタンブル乾燥機のうちの１つ又は複数を含むことができる。
【００２５】
本発明に係る２つの異なる実施形態を、図１乃至図１０を参照して以下により詳細に説明する。
【００２６】
図１から図３は、本発明の一実施形態に係る配送位置にある家具アセンブリ１を示している。図４から図５は、図１から図３と同じ家具アセンブリ１であって、取り付け位置にある状態を示している。家具アセンブリ１は、上部モジュール３と下部モジュール５とを含み、部屋に取り付けられたときに、上部モジュール３が、下部モジュールの上方に設置されるように配置されている。家具アセンブリ１は、ここでは、キッチン家具アセンブリとして示されており、下部モジュール５は、オーブン及び引き出しを備え、上部モジュール３は、ファン及びキャビネットを備えている。この配送位置にある家具アセンブリ１は、ワゴン６上に設置されている。これにより、家具アセンブリは、それが取り付けられるべき場所に容易に移動することができる。図２に示すように、家具アセンブリ１が取り付けられるべき場所に移動された後、ワゴン６を取り外し、脚８を下部モジュール５に取り付けて、下部モジュール５を床に立てることができる。ただし、脚８は必ずしも必要ではなく、代わりに、下部モジュール５を壁に取り付けるか、又は直接に床に立てることができる。
【００２７】
本発明のこの実施形態によれば、壁部７は、上部モジュール３に予め取り付けられて提供される。壁部７は、上部モジュール３の背面側１３から突出している。図面に示す方向によれば、壁部７は、上部モジュール３の背面側１３から下向きに突出している。これにより、壁部７は、上部モジュール３の背面側１３の下側１３ａから突出している。本実施形態において、上部モジュール３の背面側１３は、下側１３ａ、対向する上側１３ｂ、及び２つの短辺側１３ｃ、１３ｄを含む長方形である。しかしながら、上部モジュール３の形状は、必ずしも長方形である必要はない。上部モジュール３は、上部モジュール３の背面側１３が壁に当てて設置されるように、取り付け位置で部屋の壁に取り付けられるように構成される。上部モジュール３の背面側１３の下側１３ａから下向きに突出している壁部７は、上部モジュール３の背面側１３と同じ向きで、上部モジュール３が取り付けられているのと同じ部屋の壁に隣接して設置される。下部モジュール５は、取り付け位置で部屋の床に立つか、又は部屋の壁に取り付けられるように構成されている。取り付け位置は図４及び図５に示している。
【００２８】
図１乃至図３に示される配送位置において、上部モジュール３は下部モジュール５に近接して設置され、このとき、壁部７は、下部モジュール５の背面側１５の一部に突き出ている。上部モジュール３は、下部モジュール５の上面１７にもたれて設置することができる。しかしながら、図１乃至図３では、配送位置において、上部モジュール３と下部モジュール５との間に小さな距離が設けられていることが示されている。このように、上部モジュール３と下部モジュール５との間に支持部を設けることができ、これによって、上部モジュール３は直接に下部モジュール５の上面１７にもたれていない。
【００２９】
家具アセンブリ１が、それが取り付けられるべき部屋の場所に搬送されたとき、上部モジュール３は、下部モジュール５に対して持ち上げられ、上部モジュール３は、部屋、例えば、キッチン、ランドリールーム、又はバスルームの壁に取り付けられる。上部モジュール３に予め取り付けられた壁部７が、下部モジュール５の背面側１５の上側１５ａと上部モジュール３の背面側１３の下側１３ａとを接続するように、上部モジュール３は、下部モジュール５の上方に、一定の距離を持ち上げられる。言い換えれば、取り付け位置における壁部７は、上部モジュール３の背面側１３の下側１３ａと、下部モジュール５の背面側１５の上側１５ａとの間にある。このように、壁部７は、同じ向きで、上部モジュール３が取り付けられているのと同じ壁に当てて設置される。
【００３０】
図１乃至図５に示す本発明のこの実施形態において、壁部７は、上部モジュール３の背面側１３に取り付けられた板１９の突出部分２１に設けられている。板１９は、板１９の突出部分２１が、上部モジュール３の背面側１３の下側１３ａから突出するように、背面側１３に取り付けられている。板１９の突出部分２１は、壁部７と実質的に同じサイズを有する。板１９は、上部モジュール３の背面自体であることも可能であり、当該背面は、上部モジュール３の背面側１３を覆っており、下部モジュール５に向かって下向きに突出するために、当該背面は、上部モジュールの背面側よりも大きく作られている。
【００３１】
本発明による家具アセンブリ１０１の別の実施形態は図６乃至図１０に示され、当該実施形態において、壁部１０７は下部モジュール１０５に予め取り付けられている。図６乃至図８において、家具アセンブリ１０１は、配送位置で設置され、このとき、上部モジュール１０３は下部モジュール１０５に近接して設置されている。図９乃至図１０において、家具アセンブリ１０１は、取り付け位置で設置され、このとき、上部モジュール１０３は下部モジュール１０５に対して持ち上げられている。詳細の多くは前の実施形態と同じであるため、再度の詳細な説明はしない。この実施形態の違いは、壁部１０７が、上部モジュール１０３ではなく、下部モジュール１０５に予め取り付けられていることである。壁部１０７は、下部モジュール１０５の背面側１１５の上側１１５ａから突出している。このように、配送位置における壁部１０７は、上部モジュール１０３の背面側１１３の一部に突き出ており、取り付け位置における壁部分１０７は、上部モジュールの背面側１１３の下側１１３ａと下部モジュール１０５の背面側１１５の上側１１５ａとの間にある。また、この実施形態において、壁部１０７は、板１１９の突出部分１２１に設けられ、当該板１１９は、下部モジュール１０５の背面側１１５に設置される。板は、下部モジュール５の背面側１１５を覆っている背面自体であることも可能であり、当該背面は、上部モジュールに向かって上向きに突出するために、下部モジュールの背面側よりも大きく作られている。
【００３２】
図１１は、本発明の一実施形態による、前述した家具アセンブリ１，１０１を配送し、部屋に取り付けるための方法のフローチャートである。この方法は以下のステップを含む。
ステップＳ１：家具アセンブリ１，１０１を配送位置で設置する。配送位置における上部モジュール３，１０３と下部モジュール５，１０５との間の距離は、取り付け位置における上部モジュール３，１０３と下部モジュール５，１０５との間の距離よりも小さく、配送位置において、予め取り付けられた壁部７，１０７は突出して、上部モジュールと下部モジュールとのうち、当該壁部が予め取り付けられていない他方（下部モジュール５又は上部モジュール１０３）の背面側（１５又は１１３）の一部と重なる。
ステップＳ２：家具アセンブリ１，１０１を、配送位置で、部屋内の取り付けるべき場所に移行させる。
ステップＳ３：壁部７，１０７が上部モジュール３，１０３の背面側と下部モジュール５，１０５の背面側とを接続するように、下部モジュール５，１０５に対して上部モジュール３，１０３を持ち上げて、家具アセンブリ１，１０１を取り付け位置で設置する。
ステップＳ４：上部モジュール３，１０３を、それが取り付けられるべき部屋の壁に取り付ける。
【図１】
2021528141.tif 000003
【図２】
2021528141.tif 000004
【図３】
2021528141.tif 000005
【図４】
2021528141.tif 000006
【図５】
2021528141.tif 000007
【図６】
2021528141.tif 000008
【図７】
2021528141.tif 000009
【図８】
2021528141.tif 000010
【図９】
2021528141.tif 000011
【図１０】
2021528141.tif 000012
【図１１】
2021528141.tif 000013
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
家具アセンブリ（１，１０１）であって、
上部モジュール（３，１０３）と、
下部モジュール（５，１０５）と、
壁部（７，１０７）であって、前記家具アセンブリ（１，１０１）が取り付け位置で部屋に取り付けられたときに、前記上部モジュール（３，１０３）が前記下部モジュール（５，１０５）の上方に設置され、前記壁部（７，１０７）が前記上部モジュールと前記下部モジュールとの間に設置されるように適合される、前記壁部（７，１０７）と、
を備え、
前記壁部（７，１０７）は、前記上部モジュール（３，１０３）と前記下部モジュール（５，１０５）とのうちのいずれか一方に予め取り付けられ、
前記家具アセンブリ（１，１０１）は、キッチン、ランドリールーム、又はバスルーム用の家具アセンブリであり、
前記壁部（７，１０７）は、前記上部モジュールと前記下部モジュールとのうちのいずれか一方（３，１０５）に予め取り付けられ、前記上部モジュールと前記下部モジュールとのうちの他方（５，１０３）には予め取り付けられておらず、
前記壁部（７，１０７）を、前記上部モジュールと前記下部モジュールとのうち、予め取り付けられていない前記他方に対して摺動させることによって、配送位置から取り付け位置にすることができ、
前記配送位置において、前記上部モジュール（３，１０３）と前記下部モジュール（５，１０５）とは互いに近接に設置され、前記壁部（７，１０７）は、前記上部モジュールと前記下部モジュールとのうち、予め取り付けられていない前記他方の背面側（１５，１１３）の一部を覆っており、
前記取り付け位置において、前記壁部（７，１０７）は、前記上部モジュール（３，１０３）の背面側（１３，１１３）と前記下部モジュール（５，１０５）の背面側（１５，１１５）とを接続している、
家具アセンブリ。
【請求項２】
前記家具アセンブリ（１，１０１）は、配送位置及び取り付け位置で設置することができ、前記配送位置における前記上部モジュール（３，１０３）と前記下部モジュール（５，１０５）との間の距離は、前記取り付け位置における前記上部モジュール（３，１０３）と前記下部モジュール（５，１０５）との間の距離よりも小さく、
前記配送位置における前記予め取り付けられた壁部（７，１０７）は突出して、前記上部モジュールと前記下部モジュールとのうち、前記壁部（７，１０７）が予め取り付けられていない他方の背面側（１５，１１３）の一部と重なる、
請求項１に記載の家具アセンブリ。
【請求項３】
前記家具アセンブリ（１，１０１）が取り付け位置にあるとき、前記壁部（７，１０７）は、前記上部モジュール（３，１０３）の背面側（１３，１１３）の下側（１３ａ）と前記下部モジュール（５，１０５）の背面側（１５，１１５）の上側（１５ａ）との間に到達する、
請求項１又は２に記載の家具アセンブリ。
【請求項４】
前記壁部（７，１０７）は、拭き取り可能な表面を有し、前記上部モジュール（３）又は前記下部モジュール（５）の背面側（１３，１１５）に取り付けられた板（１９，１１９）の突出部分（２１，１２１）に設けられ、
前記板（１９，１１９）は、前記板（１９，１１９）の突出部分（２１，１２１）が前記上部モジュール（３）又は前記下部モジュール（１０５）の背面側（１３，１１５）から突出するように取り付けられ、
前記板の前記突出部分は、前記壁部と実質的に同じサイズである、
請求項１から３のいずれか１項に記載の家具アセンブリ。
【請求項５】
前記壁部（７，１０７）は、タイル、ガラス、プラスチック、石、又は金属製のスプラッシュボードである、請求項１から４のいずれか１項に記載の家具アセンブリ。
【請求項６】
上部モジュール（３，１０３）は、取り付け位置で部屋の壁に取り付けられるように構成され、
前記壁部（７，１０７）は、前記上部モジュール（３，１０３）と同じ向きで、前記上部モジュール（３，１０３）が取り付けられるのと同じ部屋の壁に隣接して設置されるように適合されている、
請求項１から５のいずれか１項に記載の家具アセンブリ。
【請求項７】
前記下部モジュール（１０５）は、前記取り付け位置で、部屋の床に立つ、及び／又は、部屋の壁に取り付けられるように構成されている、請求項１から６のいずれか１項に記載の家具アセンブリ。
【請求項８】
前記上部モジュール（３，１０３）は、食器棚、キャビネット、棚、オーブン、電子レンジ、ファンのうちの１つ以上を含み、
前記下部モジュール（５，１０５）は、調理台、食器棚、キャビネット、引き出し、ストーブ、レンジ、シンク、食器洗い機、洗濯機、回転式乾燥機のうちの１つ以上を含む、
請求項１から７のいずれか１項に記載の家具アセンブリ。
【請求項９】
前記壁部（７）は前記上部モジュール（３）に予め取り付けられている、請求項１から８のいずれか１項に記載の家具アセンブリ。
【請求項１０】
前記壁部（１０７）は前記下部モジュール（１０５）に予め取り付けられている、請求項１から８のいずれか１項に記載の家具アセンブリ。
【請求項１１】
請求項１から１０のいずれか一項に記載の家具アセンブリ（１，１０１）を配送し、部屋に取り付けるための方法であって、
前記家具アセンブリ（１，１０１）を配送位置で設置するステップＳ１であって、前記配送位置における前記上部モジュール（３，１０３）と前記下部モジュール（５，１０５）との間の距離は、取り付け位置における前記上部モジュール（３，１０３）と前記下部モジュール（５，１０５）との間の距離よりも小さく、前記配送位置における前記予め取り付けられた壁部（７，１０７）は突出して、前記上部モジュール（１０３）と前記下部モジュール（５）とのうち、前記壁部（７，１０７）が予め取り付けられていない他方の背面側（１５，１１３）の一部と重なる、前記家具アセンブリ（１，１０１）を配送位置で設置するステップＳ１と、
前記家具アセンブリ（１，１０１）を、前記配送位置で、部屋内の取り付けるべき場所に移送するステップＳ２と、
前記壁部（７，１０７）が、前記上部モジュール（３，１０３）の背面側（１３，１１３）と前記下部モジュール（５，１０５）の背面側（１５，１１５）とを接続するように、前記下部モジュール（５，１０５）に対して前記上部モジュール（３，１０３）を持ち上げて前記家具アセンブリ（１，１０１）を取り付け位置で設置するステップＳ３と、
を含む、
方法。
【請求項１２】
前記上部モジュール（３，１０３）を取り付けられるべき部屋の壁に取り付けるステップＳ４を更に含む、請求項１１に記載の方法。
【国際調査報告】
2021528141.tif 000014
2021528141.tif 000015
2021528141.tif 000016